(57)【要約】【課題】狭い浴室であっても、浴槽の周りを上端部まで覆うことが可能な浴槽用の防水パンを提供することを目的とする。【解決手段】洗い場に隣接して設置され平面視で長方形状を有する浴槽用の防水パンであって、前記防水パンは、底面と側壁とを有し、内部に前記浴槽を収容可能な容器であって収容された前記浴槽の外面に前記側壁の上端部が密着可能な容器の構造を有し、前記容器は、前記底面と、前記浴槽の一方の短辺側の前記側壁と前記洗い場とは反対の側の長辺側の前記側壁とを一体形成した主部と、前記浴槽の他方の短辺側の前記側壁の少なくとも一部を形成する分割パーツと、を有し、前記分割パーツは、前記主部に組み付けられてなることを特徴とする浴槽用の防水パンが提供される。【選択図】図１
2013249676.tif 000002
【特許請求の範囲】
【請求項１】
洗い場に隣接して設置され平面視で長方形状を有する浴槽用の防水パンであって、
前記防水パンは、底面と側壁とを有し、内部に前記浴槽を収容可能な容器であって収容された前記浴槽の外面に前記側壁の上端部が密着可能な容器の構造を有し、
前記容器は、
前記底面と、
前記浴槽の一方の短辺側の前記側壁と前記洗い場とは反対の側の長辺側の前記側壁とを一体形成した主部と、
前記浴槽の他方の短辺側の前記側壁の少なくとも一部を形成する分割パーツと、
を有し、
前記分割パーツは、前記主部に組み付けられてなることを特徴とする浴槽用の防水パン。
【請求項２】
前記分割パーツは、下面に設けられた複数の接続ピンを有し、
前記主部は、前記他方の短辺側の前記側壁に設けられ前記接続ピンが差し込まれる複数の穴を有し、
前記複数の接続ピンが前記複数の穴に差し込まれることにより、前記分割パーツが前記主部に接続されてなることを特徴とする請求項１記載の浴槽用の防水パン。
【請求項３】
洗い場に隣接して設置され平面視で長方形状を有する浴槽用の防水パンであって、
前記防水パンは、底面と、高さ方向に伸縮可能な側壁と、前記側壁を伸ばした状態を保持する形状保持部と、有し、内部に前記浴槽を収容可能であり、
前記防水パンの上端部は、収容された前記浴槽の外面に密着可能であることを特徴とする浴槽用の防水パン。
【請求項４】
洗い場に隣接して設置され平面視で長方形状を有する浴槽用の防水パンであって、
前記防水パンは、底面と側壁とを有し、内部に前記浴槽を収容可能な容器であって収容された前記浴槽の外面に前記側壁の上端部が密着可能な容器の構造を有し、
前記容器は、
前記底面を有する底面部材と、
前記底面部材の上面に接続可能な側壁部材と、
を有することを特徴とする浴槽用の防水パン。
【請求項５】
前記側壁部材は、下面に設けられた複数の接続ピンを有し、
前記底面部材および前記側壁部材は、それぞれの上面に設けられ前記接続ピンが差し込まれる複数の穴を有し、
前記複数の接続ピンが前記複数の穴に差し込まれることにより、前記側壁部材が前記底面部材に接続されてなることを特徴とする請求項４記載の浴槽用の防水パン。
【請求項６】
洗い場に隣接して設置され平面視で長方形状を有する浴槽用の防水パンであって、
前記防水パンは、底面と側壁とを有し、内部に前記浴槽を収容可能な容器であって収容された前記浴槽の外面に前記側壁の上端部が密着可能な容器の構造を有し、
前記側壁は、荷重が加わると変形し前記荷重が解除されると元の形状に復元する性状を有することを特徴とする浴槽用の防水パン。
【発明の詳細な説明】
【技術分野】
【０００１】
本発明の態様は、一般的に、浴槽用の防水パンに関する。
【背景技術】
【０００２】
浴槽の下方に防水パンを設置した浴室が提案されている。  
例えば、浴槽と比較して高さの低い浴槽パンが浴槽の下方に設置された保温浴槽がある（特許文献１）。特許文献１に記載された浴槽パンは、浴槽からの排水が排水管から溢れた場合に、排水を貯めて浴室外に漏水することを防止することができる。しかし、浴槽からの排水の温度が比較的高温であると、浴槽パンと排水管とを繋ぐ逆止弁から浴槽の周りに蒸気が漏出することがある。この際、特許文献１に記載されたような高さの低い浴槽パンでは、蒸気が浴室外に漏出することを防止できない。
【０００３】
また、浴槽の上端部の近傍まで届く高さを有する防水層が設けられた浴槽の防水構造がある（特許文献２）。しかし、特許文献２に記載された防水層は、浴槽には密着していない。そのため、特許文献１に記載された保温浴槽と同様に、蒸気が浴室外に漏出することを防止できない。  
蒸気がそのままあるいは結露水として浴室外に漏れると、建築躯体を劣化させるおそれがある。
【先行技術文献】
【特許文献】
【０００４】
【特許文献１】特開２０１１−１４３０００号公報
【特許文献２】特開２００８−１５６９５２号公報
【発明の概要】
【発明が解決しようとする課題】
【０００５】
本発明は、かかる課題の認識に基づいてなされたものであり、狭い浴室であっても、浴槽の周りを上端部まで覆うことが可能な浴槽用の防水パンを提供することを目的とする。
【課題を解決するための手段】
【０００６】
第１の発明は、洗い場に隣接して設置され平面視で長方形状を有する浴槽用の防水パンであって、前記防水パンは、底面と側壁とを有し、内部に前記浴槽を収容可能な容器であって収容された前記浴槽の外面に前記側壁の上端部が密着可能な容器の構造を有し、前記容器は、前記底面と、前記浴槽の一方の短辺側の前記側壁と前記洗い場とは反対の側の長辺側の前記側壁とを一体形成した主部と、前記浴槽の他方の短辺側の前記側壁の少なくとも一部を形成する分割パーツと、を有し、前記分割パーツは、前記主部に組み付けられてなることを特徴とする浴槽用の防水パンである。
【０００７】
この浴槽用の防水パンによれば、浴室ユニットが設置される建築躯体が狭い場合でも、浴槽の周囲を覆うことが可能な防水パンを設置することができる。そのため、浴室ユニットが設置される建築躯体が狭い場合でも、蒸気がそのままあるいは結露水として浴室外に漏出することを防止し、建築躯体の劣化を防止することができる。また、浴室ユニットが設置される建築躯体の中で主部を回転させて浴槽載置部に据え置いた後、分割パーツを主部に組み付けるため、より簡単な作業で防水パンを組み立てることができる。そのため、作業性を向上させることができる。
【０００８】
第２の発明は、第１の発明において、前記分割パーツは、下面に設けられた複数の接続ピンを有し、前記主部は、前記他方の短辺側の前記側壁に設けられ前記接続ピンが差し込まれる複数の穴を有し、前記複数の接続ピンが前記複数の穴に差し込まれることにより、前記分割パーツが前記主部に接続されてなることを特徴とする浴槽用の防水パンである。
【０００９】
この浴槽用の防水パンによれば、接続ピンを穴に差し込むことで分割パーツを主部に組み付けることができる。そのため、施工性を向上させることができる。
【００１０】
第３の発明は、洗い場に隣接して設置され平面視で長方形状を有する浴槽用の防水パンであって、前記防水パンは、底面と、高さ方向に伸縮可能な側壁と、前記側壁を伸ばした状態を保持する形状保持部と、有し、内部に前記浴槽を収容可能であり、前記防水パンの上端部は、収容された前記浴槽の外面に密着可能であることを特徴とする浴槽用の防水パンである。
【００１１】
この浴槽用の防水パンによれば、浴室ユニットが設置される建築躯体が狭い場合でも、浴槽の周囲を覆うことが可能な防水パンを設置することができる。そのため、浴室ユニットが設置される建築躯体が狭い場合でも、蒸気がそのままあるいは結露水として浴室外に漏出することを防止し、建築躯体の劣化を防止することができる。また、伸縮可能な側壁を伸ばした上で、形状保持部を設置する簡単な作業で防水パンを組み立てることができる。そのため、作業性を向上させることができる。
【００１２】
第４の発明は、洗い場に隣接して設置され平面視で長方形状を有する浴槽用の防水パンであって、前記防水パンは、底面と側壁とを有し、内部に前記浴槽を収容可能な容器であって収容された前記浴槽の外面に前記側壁の上端部が密着可能な容器の構造を有し、前記容器は、前記底面を有する底面部材と、前記底面部材の上面に接続可能な側壁部材と、を有することを特徴とする浴槽用の防水パンである。
【００１３】
この浴槽用の防水パンによれば、浴室ユニットが設置される建築躯体が狭い場合でも、浴槽の周囲を覆うことが可能な防水パンを設置することができる。そのため、浴室ユニットが設置される建築躯体が狭い場合でも、蒸気がそのままあるいは結露水として浴室外に漏出することを防止し、建築躯体の劣化を防止することができる。また、施工者等は、底面部材を所定位置に据え置いた後、底面部材の上に側壁部材を組み付ける簡単な作業で防水パンを組み立てることができる。そのため、作業性を向上させることができる。
【００１４】
第５の発明は、第４の発明において、前記側壁部材は、下面に設けられた複数の接続ピンを有し、前記底面部材および前記側壁部材は、それぞれの上面に設けられ前記接続ピンが差し込まれる複数の穴を有し、前記複数の接続ピンが前記複数の穴に差し込まれることにより、前記側壁部材が前記底面部材に接続されてなることを特徴とする浴槽用の防水パンである。
【００１５】
この浴槽用の防水パンによれば、接続ピンを穴に差し込むことで側壁部材を底面部材に組み付けることができる。そのため、施工性を向上させることができる。
【００１６】
第６の発明は、洗い場に隣接して設置され平面視で長方形状を有する浴槽用の防水パンであって、前記防水パンは、底面と側壁とを有し、内部に前記浴槽を収容可能な容器であって収容された前記浴槽の外面に前記側壁の上端部が密着可能な容器の構造を有し、前記側壁は、荷重が加わると変形し前記荷重が解除されると元の形状に復元する性状を有することを特徴とする浴槽用の防水パンである。
【００１７】
この浴槽用の防水パンによれば、浴室ユニットが設置される建築躯体が狭い場合でも、浴槽の周囲を覆うことが可能な防水パンを設置することができる。そのため、浴室ユニットが設置される建築躯体が狭い場合でも、蒸気がそのままあるいは結露水として浴室外に漏出することを防止し、建築躯体の劣化を防止することができる。また、防水パンを建築躯体の中で回転させるときに、防水パンの側壁が一時的に変形する。そのため、優れた作業性を提供することができる。
【００１８】
また、防水パンの内部に浴槽を収容する際に、浴槽が防水パンと衝突すると、防水パンは、一時的に変形する。そのため、浴槽をより楽に設置することができる。さらに、防水パンは、複数のパーツから組み立てられる構造を有しているわけではない。そのため、防水パンを設置する手数がより少なくなり、施工性をより向上させることができる。
【発明の効果】
【００１９】
本発明の態様によれば、狭い浴室であっても、浴槽の周りを上端部まで覆うことが可能な浴槽用の防水パンが提供される。
【図面の簡単な説明】
【００２０】
【図１】本発明の実施の形態にかかる浴槽用の防水パンが設置された浴室ユニットを表す模式的分解図である。
【図２】本発明の実施の形態にかかる浴槽用の防水パンが設置された浴室ユニットを表す模式的組立図である。
【図３】本実施形態の防水パンを表す模式的斜視図である。
【図４】本実施形態の防水パンの主部と分割パーツとの接続部を表す模式的斜視図である。
【図５】本実施形態の防水パンを建築躯体の中で回転させる状態の一例を例示する模式的斜視図である。
【図６】本実施形態の分割パーツを主部に取り付ける状態の一例を例示する模式的斜視図である。
【図７】本実施形態の浴槽の排水口の近傍を表す模式的斜視図である。
【図８】本実施形態の浴槽の排水口を拡大して眺めた模式的拡大図である。
【図９】本実施形態の浴槽の排水口部材の取付構造を表す模式的分解図である。
【図１０】本発明の他の実施の形態にかかる浴槽用の防水パンを表す模式的斜視図である。
【図１１】本発明のさらに他の実施の形態にかかる浴槽用の防水パンを表す模式的斜視図である。
【図１２】本発明のさらに他の実施の形態にかかる浴槽用の防水パンを表す模式的斜視図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる浴槽用の防水パンが設置された浴室ユニットを表す模式的分解図である。  
図２は、本発明の実施の形態にかかる浴槽用の防水パンが設置された浴室ユニットを表す模式的組立図である。
【００２２】
本実施形態にかかる浴室ユニット１０は、架台１００と、洗い場床（洗い場）２００と、浴槽３００と、浴槽用の防水パン４００と、を備える。  
架台１００は、下部に設けられた支持脚１１０を有し、図示しない建築躯体の床の上に載置されている。洗い場床２００および防水パン４００は、架台１００の上に設置されている。
【００２３】
図１に表したように、防水パン４００は、洗い場床２００に隣接して設置され、例えば上方からの平面視において略長方形状を有する。防水パン４００は、底面４１１と、側壁４１３と、を有し、内部に浴槽３００を収容可能な容器の構造を有する。また、図２に表したように、側壁４１３の上端部４１５は、収容した浴槽３００の外面に密着可能である。具体的には、図２に表したように、側壁４１３の上端部４１５は、浴槽３００のリム３１０の裏面（防水パン４００の側の面）に密着可能である。なお、防水パン４００の洗い場床２００側には、上端部が浴槽３００のリム３１０の裏面に密着可能な側壁４１３は設けられていない。
【００２４】
ここで、本願明細書において「密着」という範囲には、防水パン４００の側壁４１３の上端部４１５が浴槽３００の外面に直接的に接触し密着する場合だけではなく、防水パン４００の側壁４１３の上端部４１５がパッキンなどを介して浴槽３００の外面に接触し密着する場合が含まれるものとする。
【００２５】
図１に表したように、容器の構造を有する防水パン４００は、底面４１１と側壁４１３とが一体形成された主部４１０と、分割パーツ４２０と、を有する。側壁４１３は、浴槽３００の一方の短辺側の第１の側壁４１３ａと、洗い場床２００とは反対の側の浴槽３００の長辺側の第２の側壁４１３ｂと、第１の側壁４１３ａとは反対側の側壁であって浴槽３００の他方の短辺側の第３の側壁４１３ｃと、を有する。図１に表したように、第３の側壁４１３ｃの高さは、第１の側壁４１３ａの高さよりも低い。  
分割パーツ４２０は、浴槽３００の他方の短辺側の側壁４１３の少なくとも一部を形成する。
【００２６】
浴槽３００は、防水パン４００の内部に収容され、洗い場床２００の側方に隣接して配置されている。  
本実施形態にかかる浴室ユニット１０には、図示しない複数の壁パネルが設けられている。具体的には、壁パネルは、浴槽３００の洗い場床２００の側を除くリム３１０の外周部（周辺部）に設置されている。また、壁パネルは、洗い場床２００の浴槽３００の側を除く外周部（周辺部）に設置されている。壁パネルは、浴室ユニット１０の外部と内部とを隔離している。
【００２７】
図３は、本実施形態の防水パンを表す模式的斜視図である。  
図４は、本実施形態の防水パンの主部と分割パーツとの接続部を表す模式的斜視図である。
【００２８】
図１および図４に表したように、分割パーツ４２０の下面には、下方へ突出した複数の接続ピン４２１が設けられている。一方、主部４１０の第３の側壁４１３ｃの上端部には、接続ピン４２１が差し込まれる複数の穴４１７が設けられている。そして、図４に表したように、分割パーツ４２０は、接続ピン４２１が穴４１７に差し込まれることで主部４１０に接続され組み付けられている。なお、接続ピン４２１および穴４１７の設置数および設置箇所は、図１、図３、および図４に表した設置数および設置箇所に限定されるわけではない。
【００２９】
ここで、例えば施工者等は、浴室ユニット１０が設置される建築躯体の中に防水パン４００を搬入するときには、防水パン４００を立てた状態すなわち防水パン４００の長手方向を略鉛直方向とした状態で浴室ユニット１０の入口から建築躯体の中へ搬入する。そして、施工者等は、建築躯体の中で防水パン４００を回転させ、架台１００の上の所定位置（浴槽載置部）に設置する。この場合、防水パン４００の側壁４１３の高さが比較的高いと、施工者等が防水パン４００を建築躯体の中で回転させるときに、防水パン４００の側壁４１３が建築躯体の壁面と接触するおそれがある。すると、施工者等は、建築躯体の中で防水パン４００を回転させることができず、架台１００の上の所定位置に防水パン４００を設置することができないおそれがある。
【００３０】
これに対して、本実施形態にかかる浴槽用の防水パン４００は、底面４１１と側壁４１３とが一体形成された主部４１０と、分割パーツ４２０と、を有する。また、浴槽３００の他方の短辺側の第３の側壁４１３ｃの高さは、浴槽３００の一方の短辺側の第１の側壁４１３ａの高さよりも低い。これにより、施工者等は、浴室ユニット１０が設置される建築躯体が狭い場合でも防水パン４００の側壁４１３が建築躯体の壁面と接触することを回避しつつ、防水パン４００の主部４１０を建築躯体の中で回転させることができる。そして、施工者等は、架台１００の上の所定位置に防水パン４００の主部４１０を設置した後に、分割パーツ４２０を主部４１０に接続し組み付けることができる。そのため、浴室ユニット１０が設置される建築躯体が狭い場合でも、浴槽３００の周囲を覆うことが可能な防水パン４００を設置することができる。また、接続ピン４２１を穴４１７に差し込むことで分割パーツ４２０を主部４１０に組み付けることができるため、作業性あるいは施工性を向上させることができる。  
これについて、図面を参照しつつさらに説明する。
【００３１】
図５は、本実施形態の防水パンを建築躯体の中で回転させる状態の一例を例示する模式的斜視図である。  
図６は、本実施形態の分割パーツを主部に取り付ける状態の一例を例示する模式的斜視図である。
【００３２】
図５に表した矢印Ａ１のように、防水パン４００を建築躯体の中で回転させて架台１００の上の所定位置に設置するときには、第３の側壁４１３ｃの側の任意位置を略軸Ｃ１として回転させる。このとき、第３の側壁４１３ｃの高さは、第１の側壁４１３ａの高さおよび第２の側壁４１３ｂの高さよりも低い。そのため、図５に表したように、施工者等は、浴室ユニット１０が設置される建築躯体が狭い場合でも防水パン４００の側壁４１３が建築躯体の壁面と接触することを回避しつつ、防水パン４００を建築躯体の中で傾けることができる。なお、防水パン４００を回転させるときの軸は、図５に表した軸Ｃ１に限定されるわけではなく、第３の側壁４１３ｃの側の任意位置であればよい。  
その後、防水パン４００の底面４１１を略水平に保ちつつ、架台１００の上の所定位置に防水パン４００を設置する。
【００３３】
続いて、図６に表したように、施工者等は、第３の側壁４１３ｃの上端部に例えばシリコーンなどのシール材を塗布し、分割パーツ４２０の接続ピン４２１を第３の側壁４１３ｃの穴４１７に差し込む。これにより、分割パーツ４２０を主部４１０に接続し組み付けることができる。そのため、作業性あるいは施工性を向上させることができる。
【００３４】
続いて、施工者等は、防水パン４００の内部に浴槽３００を収容する。すると、図２に関して前述したように、防水パン４００の側壁４１３の上端部４１５を、浴槽３００のリム３１０の裏面に密着させることができる。これにより、浴室ユニット１０の内部で発生する蒸気が浴室ユニット１０の外部に漏出することを防止することができる。  
これについて、図面を参照しつつさらに説明する。
【００３５】
図７は、本実施形態の浴槽の排水口の近傍を表す模式的斜視図である。  
図８は、本実施形態の浴槽の排水口を拡大して眺めた模式的拡大図である。  
図９は、本実施形態の浴槽の排水口部材の取付構造を表す模式的分解図である。  
なお、図７および図８は、図１に表した矢印Ａ２の方向からみたときの模式的斜視図である。また、図８では、洗い場床２００および防水パン４００を省略している。
【００３６】
図７および図８に表したように、架台１００の下側には、排水トラップ５００が取り付けられ固定されている。図９に表したように、排水トラップ５００は、浴槽排水口受けピース５１０および締め付けフランジ５２０により防水パン４００の貫通孔４３１の部分に取り付けられている。すなわち、浴槽排水口受けピース５１０は、外周に設けられたねじ部５１１を有する。一方、締め付けフランジ５２０は、内周に設けられたねじ部５２１を有する。浴槽排水口受けピース５１０と締め付けフランジ５２０との間に防水パン４００の貫通孔４３１の部分を挟設し、浴槽排水口受けピース５１０のねじ部５１１と、締め付けフランジ５２０のねじ部５２１と、を螺合することで、排水トラップ５００は、防水パン４００の貫通孔４３１の部分に取り付けられる。
【００３７】
図８に表したように、浴槽排水口受けピース５１０には、排水弁プレート５３０が取り付けられている。排水弁プレート５３０には、浴槽排水口５３１および防水パン排水口５３３が形成されている。図８に表した矢印Ａ１１のように、浴槽３００内の水は、浴槽排水口５３１を通過し、排水トラップ５００へ導かれる。また、図８に表した矢印Ａ１２のように、防水パン４００内の水は、防水パン排水口５３３を通過し、排水トラップ５００へ導かれる。
【００３８】
洗い場床２００には、洗い場排水口２１１が形成されている。図８に表した矢印Ａ１４のように、洗い場床２００の上（表側）の水は、洗い場排水口２１１を通過し、排水トラップ５００へ導かれる。  
なお、本願明細書において「水」という場合には、冷水のみならず、加熱されたお湯も含むものとする。
【００３９】
排水トラップ５００は、浴槽排水口５３１を介して浴槽３００内から排出された水を受けることができる。また、排水トラップ５００は、防水パン排水口５３３を介して防水パン４００内から排出された水を受けることができる。また、排水トラップ５００は、洗い場排水口２１１を介して洗い場床２００から排出された水を受けることができる。そして、排水トラップ５００は、浴槽排水口５３１、防水パン排水口５３３、および洗い場排水口２１１を介して排出された水を内部に一時的に貯留して封水を形成し、図示しない排水管から悪臭や害虫類などが浴室ユニット１０の内部に侵入することを防止することができる。続いて、排水トラップ５００は、封水として一時的に貯留した水を図示しない排水管へ排出する。
【００４０】
すなわち、浴槽排水口５３１を介して浴槽３００内から排出された水は、防水パン排水口５３３を介して防水パン４００内から排出された水と合流する。続いて、図８に表した矢印Ａ１３のように、合流した水は、排水トラップ５００の内部を洗い場排水口２１１の側へ導かれる。続いて、浴槽排水口５３１および防水パン排水口５３３から排出され合流した水は、洗い場排水口２１１を介して洗い場床２００から排出された水と合流する。続いて、図８に表した矢印Ａ１５のように、浴槽排水口５３１、防水パン排水口５３３、および洗い場排水口２１１から排出され合流した水は、図示しない排水管へ排出される。
【００４１】
ここで、防水パン排水口５３３の部分には、排水弁（逆止弁）が設けられている。排水弁は、通常状態では開いている一方で、排水トラップ５００の側の圧力が所定値よりも高くなると閉じて水の逆流を防止することができる。  
但し、浴槽排水口５３１、防水パン排水口５３３、および洗い場排水口２１１の少なくともいずれかから排出された水の温度が比較的高い場合、あるいはその水が湯である場合、排水トラップ５００内で発生した蒸気が防水パン排水口５３３を介して防水パン４００内に流れることがある。つまり、防水パン排水口５３３の部分に設けられた排水弁は、排水トラップ５００内で発生した蒸気の圧力では閉じないことがある。
【００４２】
この場合において、防水パン４００の側壁４１３の上端部４１５が、収容した浴槽３００の外面に密着していないと、防水パン排水口５３３を介して防水パン４００内に流れてきた蒸気がそのままあるいは結露水として浴室外に漏出する。すると、建築躯体を劣化させるおそれがある。
【００４３】
これに対して、図１および図２に関して前述したように、本実施形態にかかる防水パン４００の側壁４１３の上端部４１５は、収容した浴槽３００の外面に密着している。これにより、排水トラップ５００内で発生した蒸気が防水パン排水口５３３を介して防水パン４００内に流れても、蒸気がそのままあるいは結露水として浴室外に漏出することを防止することができる。そのため、建築躯体の劣化を防止することができる。
【００４４】
本実施形態によれば、浴室ユニット１０が設置される建築躯体が狭い場合でも、浴槽３００の周囲を覆うことが可能すなわち側壁４１３の上端部４１５が浴槽３００の外面に密着可能な防水パン４００を設置することができる。そのため、浴室ユニット１０が設置される建築躯体が狭い場合でも、蒸気がそのままあるいは結露水として浴室外に漏出することを防止し、建築躯体の劣化を防止することができる。
【００４５】
次に、本発明の他の実施の形態について説明する。  
図１０は、本発明の他の実施の形態にかかる浴槽用の防水パンを表す模式的斜視図である。  
本実施形態にかかる防水パン４００ａは、形状保持部４５１と、底部４５５と、側壁４５７と、を備える。
【００４６】
形状保持部４５１は、架台１００の上に立設される支柱４５２と、複数の支柱４５２の上端部をわたって設けられる上枠４５３と、を有する。底部４５５は、底面４５５ａを有し、内部に浴槽３００を収容可能な容器の構造を有する。底部４５５の高さは、図１〜図９に関して前述した防水パン４００の第１の側壁４１３ａおよび第２の側壁４１３ｂの高さよりも低く、例えば第３の側壁４１３ｃの高さと同程度である。
【００４７】
側壁４５７は、上枠４５３と底部４５５との間を繋ぐように設けられる。側壁４５７は、例えばゴム状のシートや、アルミニウムが蒸着された防湿シートなどにより形成され、高さ方向（上下方向）に伸縮可能である。
【００４８】
施工者等は、防水パン４００ａを架台１００の上に設置する場合には、底部４５５を立てた状態すなわち底部４５５の長手方向を略鉛直方向とした状態で浴室ユニット１０の入口から建築躯体の中へ搬入する。そして、施工者等は、建築躯体の中で底部４５５を回転させ、架台１００の上の所定位置に設置する。このとき、底部４５５の高さは、比較的低く、図１〜図９に関して前述した防水パン４００の第３の側壁４１３ｃの高さと同程度である。そのため、施工者等は、浴室ユニット１０が設置される建築躯体が狭い場合でも底部４５５が建築躯体の壁面と接触することを回避しつつ、底部４５５を建築躯体の中で傾け回転させることができる。
【００４９】
続いて、図１０に表したように、施工者等は、底部４５５の角部の近傍に支柱４５２を立設する。なお、支柱４５２の設置数および設置箇所は、これだけに限定されるわけではない。続いて、施工者等は、複数の支柱４５２の上端部をわたって上枠４５３を設ける。続いて、施工者等は、側壁４５７を浴室ユニット１０の入口から建築躯体の中へ搬入し、伸縮可能な側壁４５７を伸ばした上で上枠４５３と底部４５５との間を繋ぐように側壁４５７を設ける。
【００５０】
このとき、側壁４５７は、高さ方向に伸縮可能である。そのため、施工者等は、より楽に側壁４５７を建築躯体の中へ搬入することができ、より楽に側壁４５７を設置することができる。また、図１０に表したように、側壁４５７の一端は、上枠４５３に取り付けられる。そのため、側壁４５７がシートにより形成されていても、側壁４５７の形状は、形状保持部４５１（支柱４５２および上枠４５３）により保持される。  
続いて、施工者等は、防水パン４００ａの内部に浴槽３００を収容する。すると、防水パン４００ａの上枠４５３を、浴槽３００のリム３１０の裏面に密着させることができる。
【００５１】
本実施形態によれば、浴室ユニット１０が設置される建築躯体が狭い場合でも、浴槽３００の周囲を覆うことが可能すなわち上枠４５３が浴槽３００の外面に密着可能な防水パン４００ａを設置することができる。そのため、浴室ユニット１０が設置される建築躯体が狭い場合でも、蒸気がそのままあるいは結露水として浴室外に漏出することを防止し、建築躯体の劣化を防止することができる。また、施工者等は、伸縮可能な側壁４５７を伸ばした上で、形状保持部４５１を設置する簡単な作業で防水パン４００ａを組み立てることができる。そのため、作業性あるいは施工性を向上させることができる。
【００５２】
図１１は、本発明のさらに他の実施の形態にかかる浴槽用の防水パンを表す模式的斜視図である。  
本実施形態にかかる防水パン４００ｂは、底面部材４６１と、側壁部材（側壁）４７０と、を備える。側壁部材４７０は、底面部材４６１の上面に接続可能とされている。
【００５３】
底面部材４６１は、底面４６１ａを有し、内部に浴槽３００を収容可能な容器の構造を有する。底面部材４６１の高さは、図１〜図９に関して前述した防水パン４００の第１の側壁４１３ａおよび第２の側壁４１３ｂの高さよりも低く、例えば第３の側壁４１３ｃの高さと同程度である。
【００５４】
側壁部材４７０は、第１の側壁部材４７１と、第２の側壁部材４７３と、を有する。第１の側壁部材４７１は、第１の側壁ピース４７１ａと、第２の側壁ピース４７１ｂと、第３の側壁ピース４７１ｃと、を有する。第２の側壁部材４７３は、第１の側壁ピース４７３ａと、第２の側壁ピース４７３ｂと、第３の側壁ピース４７３ｃと、を有する。
【００５５】
図１１に表したように、第２の側壁部材４７３の第１の側壁ピース４７３ａ、第２の側壁ピース４７３ｂ、および第３の側壁ピース４７３ｃの下面には、下方へ突出した複数の接続ピン４７５が設けられている。一方、第１の側壁部材４７１の第１の側壁ピース４７１ａ、第２の側壁ピース４７１ｂ、および第３の側壁ピース４７１ｃの上端部には、接続ピン４７５が差し込まれる複数の穴４７７が設けられている。なお、接続ピン４７５および穴４７７の設置数および設置箇所は、図１１に表した設置数および設置箇所に限定されるわけではない。
【００５６】
施工者等は、防水パン４００ｂを架台１００の上に設置する場合には、底面部材４６１を立てた状態すなわち底面部材４６１の長手方向を略鉛直方向とした状態で浴室ユニット１０の入口から建築躯体の中へ搬入する。そして、施工者等は、建築躯体の中で底面部材４６１を回転させ、架台１００の上の所定位置に設置する。このとき、底面部材４６１の高さは、比較的低く、図１〜図９に関して前述した防水パン４００の第３の側壁４１３ｃの高さと同程度である。そのため、施工者等は、浴室ユニット１０が設置される建築躯体が狭い場合でも底面部材４６１が建築躯体の壁面と接触することを回避しつつ、底面部材４６１を建築躯体の中で傾け回転させることができる。
【００５７】
続いて、施工者等は、底面部材４６１の上端部に例えばシリコーンなどのシール材を塗布し、第１の側壁部材４７１を底面部材４６１に取り付ける。このとき、図示しないが、第１の側壁部材４７１の第１の側壁ピース４７１ａ、第２の側壁ピース４７１ｂ、および第３の側壁ピース４７１ｂの下面には、下方へ突出した複数の接続ピンが設けられている。一方、底部の上端部には、接続ピン４７５が差し込まれる複数の穴が設けられている。これは、前述した接続ピン４７５および穴４７７と同様である。そのため、施工者等は、第１の側壁部材４７１の接続ピンを底面部材４６１の穴に差し込むことより、第１の側壁部材４７１を底面部材４６１に接続し組み付けることができる。
【００５８】
続いて、施工者等は、第１の側壁部材４７１の上端部に例えばシリコーンなどのシール材を塗布し、第２の側壁部材４７３の接続ピン４７５を第１の側壁部材４７１の穴４７７に差し込む。これにより、第２の側壁部材４７３を第１の側壁部材４７１に接続し組み付けることができる。
【００５９】
続いて、施工者等は、防水パン４００ｂの内部に浴槽３００を収容する。すると、防水パン４００ｂの第２の側壁部材４７３の上端部を、浴槽３００のリム３１０の裏面に密着させることができる。
【００６０】
本実施形態によれば、浴室ユニット１０が設置される建築躯体が狭い場合でも、浴槽３００の周囲を覆うことが可能すなわち第２の側壁部材４７３の上端部が浴槽３００の外面に密着可能な防水パン４００ｂを設置することができる。そのため、浴室ユニット１０が設置される建築躯体が狭い場合でも、蒸気がそのままあるいは結露水として浴室外に漏出することを防止し、建築躯体の劣化を防止することができる。また、施工者等は、底面部材４６１を所定位置に据え置いた後、底面部材４６１の上に第１の側壁部材４７１および第２の側壁部材４７３を組み付ける簡単な作業で防水パン４００ｂを組み立てることができる。そのため、作業性あるいは施工性を向上させることができる。
【００６１】
なお、側壁部材４７０の設置数は、図１１に表した設置数に限定されるわけではない。例えば、側壁部材４７０は、第１の側壁部材４７１だけを有していてもよいし、第１の側壁部材〜第３以上の側壁部材を有していてもよい。また、側壁ピースの設置数および分割方向は、図１１に表した設置数および分割方向に限定されるわけではない。側壁ピースの設置数は、例えば２つあるいは４つ以上であってもよい。あるいは、側壁ピースは、分割されていなくともよい。また、側壁ピースの分割方向は、例えば上下方向あるいは水平方向であってもよい。
【００６２】
図１２は、本発明のさらに他の実施の形態にかかる浴槽用の防水パンを表す模式的斜視図である。  
本実施形態にかかる防水パン４００ｃは、底面部材４８１と、側壁４８３と、を備える。
【００６３】
底面部材４８１は、底面４８１ａを有し、内部に浴槽３００を収容可能な容器の構造を有する。底面部材４８１の高さは、図１〜図９に関して前述した防水パン４００の第１の側壁４１３ａおよび第２の側壁４１３ｂの高さよりも低く、例えば第３の側壁４１３ｃの高さと同程度である。一方で、側壁４８３の高さは、図１〜図９に関して前述した防水パン４００の第１の側壁４１３ａおよび第２の側壁４１３ｂの高さと同程度である。
【００６４】
側壁４８３は、底面部材４８１の上に設けられ、荷重が加わると変形し、加わった荷重が解除されると元の形状に復元する性状を有する。このような側壁４８３として、例えば蛇腹形状を有する側壁が挙げられる。但し、側壁４８３の設置形態は、これだけに限定されるわけではない。本実施形態の側壁４８３は、前述した性状を有していればよい。
【００６５】
施工者等は、浴室ユニット１０が設置される建築躯体の中に防水パン４００ｃを搬入するときには、防水パン４００ｃを立てた状態すなわち防水パン４００ｃの長手方向を略鉛直方向とした状態で浴室ユニット１０の入口から建築躯体の中へ搬入する。そして、施工者等は、建築躯体の中で防水パン４００ｃを回転させ、架台１００の上の所定位置に設置する。
【００６６】
このとき、側壁４８３の高さは、図１〜図９に関して前述した防水パン４００の第１の側壁４１３ａおよび第２の側壁４１３ｂの高さと同程度である。そのため、施工者等が防水パン４００ｃを建築躯体の中で回転させるときに、防水パン４００ｃの側壁４８３が建築躯体の壁面と接触するおそれがある。これに対して、施工者等は、側壁４８３に荷重を加え、側壁４８３を一時的に変形させる。あるいは、施工者等が防水パン４００ｃを建築躯体の中で回転させるときに、防水パン４００ｃの側壁４８３が建築躯体の壁面と接触すると、側壁４８３が一時的に変形する。これにより、施工者等は、浴室ユニット１０が設置される建築躯体が狭い場合でも側壁４８３が建築躯体の壁面と接触することを回避しつつ、防水パン４００ｃを建築躯体の中で傾け回転させることができる。
【００６７】
続いて、施工者等は、一時的に加えた荷重を解除し、側壁４８３の形状を元の形状に復元させる。その後、防水パン４００ｃの底面４８１ａを略水平に保ちつつ、架台１００の上の所定位置に防水パン４００ｃを設置する。なお、側壁４８３に一時的に加えた荷重を解除するタイミングは、架台１００の上の所定位置に防水パン４００ｃを設置した後であってもよい。
【００６８】
続いて、施工者等は、防水パン４００ｃの内部に浴槽３００を収容する。すると、防水パン４００ｃの側壁４８３の上端部を、浴槽３００のリム３１０の裏面に密着させることができる。
【００６９】
本実施形態によれば、浴室ユニット１０が設置される建築躯体が狭い場合でも、浴槽３００の周囲を覆うことが可能すなわち側壁４８３の上端部が浴槽３００の外面に密着可能な防水パン４００ｃを設置することができる。そのため、浴室ユニット１０が設置される建築躯体が狭い場合でも、蒸気がそのままあるいは結露水として浴室外に漏出することを防止し、建築躯体の劣化を防止することができる。また、施工者等が防水パン４００ｃを建築躯体の中で回転させるときに、防水パン４００ｃの側壁４８３が一時的に変形する。そのため、本実施形態にかかる防水パン４００ｃは、優れた作業性を提供することができる。
【００７０】
また、施工者等が防水パン４００ｃの内部に浴槽３００を収容する際に、浴槽３００が防水パン４００ｃと衝突すると、防水パン４００ｃは、一時的に変形する。そのため、施工者等は、浴槽３００をより楽に設置することができる。さらに、本実施形態にかかる防水パン４００ｃは、複数のパーツから組み立てられる構造を有しているわけではない。そのため、防水パン４００ｃを設置する手数がより少なくなり、施工性をより向上させることができる。
【００７１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、防水パン４００、４００ａ、４００ｂ、４００ｃなどが備える各要素の形状、寸法、材質、配置などや接続ピン４２１、４７５および穴４１７、４７７の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７２】
１０ 浴室ユニット、  １００ 架台、  １１０ 支持脚、  ２００ 洗い場床、  ２１１ 洗い場排水口、  ３００ 浴槽、  ３１０ リム、  ４００、４００ａ、４００ｂ、４００ｃ 防水パン、  ４１０ 主部、  ４１１ 底面、  ４１３ 側壁、  ４１３ａ 第１の側壁、  ４１３ｂ 第２の側壁、  ４１３ｃ 第３の側壁、  ４１５ 上端部、  ４１７ 穴、  ４２０ 分割パーツ、  ４２１ 接続ピン、  ４３１ 貫通孔、  ４５１ 形状保持部、  ４５２ 支柱、  ４５３ 上枠、  ４５５ 底部、  ４５５ａ 底面、  ４５７ 側壁、  ４６１ 底面部材、  ４６１ａ 底面、  ４７０ 側壁部材、  ４７１ 第１の側壁部材、  ４７１ａ 第１の側壁ピース、  ４７１ｂ 第２の側壁ピース、  ４７１ｃ 第３の側壁ピース、  ４７３ 第２の側壁部材、  ４７３ａ 第１の側壁ピース、  ４７３ｂ 第２の側壁ピース、  ４７３ｃ 第３の側壁ピース、  ４７５ 接続ピン、  ４７７ 穴、  ４８１ 底面部材、  ４８１ａ 底面、  ４８３ 側壁、  ５００ 排水トラップ、  ５１０ 浴槽排水口受けピース、  ５１１ ねじ部、  ５２０ 締め付けフランジ、  ５２１ ねじ部、  ５３０ 排水弁プレート、  ５３１ 浴槽排水口、  ５３３ 防水パン排水口
【図１】
2013249676.tif 000003
【図２】
2013249676.tif 000004
【図３】
2013249676.tif 000005
【図４】
2013249676.tif 000006
【図５】
2013249676.tif 000007
【図６】
2013249676.tif 000008
【図７】
2013249676.tif 000009
【図８】
2013249676.tif 000010
【図９】
2013249676.tif 000011
【図１０】
2013249676.tif 000012
【図１１】
2013249676.tif 000013
【図１２】
2013249676.tif 000014